(57)【要約】      （修正有）【課題】ジャンプ、足踏み、移動によって、消化を助け胃腸の動きを促進し、運動と娯楽等の多種効果を発揮する足踏み健康器を提供する。【解決手段】足踏み健康器に関し、それは主に下本体１と上本体２を備える。下本体は、底板１１と、底板から上方向に延伸する下弾性体１２を有する。また、上本体は、上部板２１と、上部板から下向きに延長する上弾性体２２を備える。下弾性体と上弾性体の両端はそれぞれ軸体３を貫通させ、人体の足を上本体の上部に置いて固定した後は、足踏み健康器によって上下ジャンプ式運動を行なうことができる。さらに、移動走行機能を備え、健康な身体を作り、消化を促し、胃腸の動きを促進し、運動及び娯楽等の多種効果を有する。【選択図】図１
0003188549.tif 000002
【実用新案登録請求の範囲】
【請求項１】
下本体と上本体を備える足踏み健康器であって、
前記下本体は、底板と、底板から上方向に延伸する下弾性体を有し、下弾性体はほぼ半月形をなし、下弾性体の両端にはそれぞれ下軸孔を設置し、
前記上本体は、上部板と、上部板から下向きに延長する上弾性体を備え、上弾性体はほぼ半月形をなし、上弾性体の両端にはそれぞれ上軸孔を設置し、
同一側に隣接する上軸孔と下軸孔にはそれぞれ軸体を貫通させた後に軸着することを特徴とする足踏み健康器。
【請求項２】
前記下本体の底部には底部クッションを連結し、底部クッションは軟性緩衝材料によって製作することを特徴とする請求項１に記載の足踏み健康器。
【請求項３】
前記上弾性体と下弾性体はいずれも変形可能な材料によって製作することを特徴とする請求項１に記載の足踏み健康器。
【請求項４】
前記上本体の上部には被覆体を連結することを特徴とする請求項１に記載の足踏み健康器。
【請求項５】
前記各軸体の両端にはそれぞれねじ部を設け、各ねじ部にはそれぞれナットを螺着することを特徴とする請求項１に記載の足踏み健康器。
【請求項６】
前記各軸体の両端のそれぞれには嵌着部材を増設し、前記嵌着部材には弾性輪を取り付けるための溝部を形成することを特徴とする請求項５に記載の足踏み健康器。
【考案の詳細な説明】
【技術分野】
【０００１】
本考案の「足踏み健康器」は、人体の足に履いて、ジャンプ、足踏み、移動機能を備え、消化を助け胃腸の動きを促進し、運動と娯楽等の多種効果を有する健康器具の技術に関する。
【背景技術】
【０００２】
現代人は非常に忙しい生活や仕事を抱え、加えて現在は戸外運動施設の不足、運動場所が家から遠い、或いは天候の影響を受ける等の理由から、随時随所で操作可能な室内健康器具具を選択して運動する人も多い。現有の運動器具を全体的にみると、ランニングマシン、ボート漕ぎマシン、足踏みマシン、スライド歩行器等は既に市販されて長い時間が経つため、消費者の購入したい或いは使ってみたいといった欲望を煽るのは難しくなっている。人には好奇心があるため、新しい構造の開発を続けてこそ消費者の興味を惹きつけることができる。
【考案の概要】
【考案が解決しようとする課題】
【０００３】
本考案人は前記現状に鑑み特に本考案の足踏み健康器を研究開発し、本考案の提出によって新規構造と新しい運動パターンを提供して消費者の興味を惹きつけることを期待する。
【０００４】
新しい形態の運動健康器具を提供する本考案の足踏み健康器は、主に新規構造の設計で移動機能を備えたものであり、それぞれ一つ一つを二本の足に履き、移動、ジャンプ、足踏み機能を備えて人体に上下移動運動を提供し、健康な体を作り、消化を促し、胃腸の動きを促進し、運動及び娯楽等多種の目的を果たす。
【課題を解決するための手段】
【０００５】
前記目的を実現するために、本考案は具体的に足踏み健康器を提供し、それは主に下本体と上本体を備える。
【０００６】
前記下本体は、底板と、底板から上方向に延伸する下弾性体を有する。下弾性体はほぼ半月形をなし、下弾性体は最も好ましくは変形可能な材料によって製作する。下弾性体の両端にはそれぞれ下軸孔を設置する。また、下本体の底部には底部クッションを連結し、底部クッションは最も好ましくは軟性緩衝材料によって製作する。
【０００７】
前記上本体は、上部板と、上部板から下向きに延長する上弾性体を備える。上弾性体はほぼ半月形をなし、上弾性体は最も好ましくは変形可能な材料によって製作する。上弾性体の両端にはそれぞれ上軸孔を設置する。また、上本体の上部には、制御体と被覆体を設置し、被覆体は人体の素足や靴を入れるためのものである。
【０００８】
同一側に隣接する上軸孔と下軸孔はそれぞれ軸体を貫通させた後に軸着する。各軸体の両端にはそれぞれねじ部を設け、各ねじ部にはそれぞれナットを螺着する。
【０００９】
前述した各軸体の両端のそれぞれには嵌着部材を増設し、嵌着部材には溝部を形成する。これにより、二つの軸体の同一側面の二つの嵌着部材に弾性輪を取り付けることができ、弾性輪によって足踏み健康器の上下運動のきつさを調整できる。
【考案の効果】
【００１０】
本考案の足踏み健康器は、一つ一つを二本の足に履き、移動、ジャンプ、足踏み機能を備えて人体に上下移動運動を提供することで、健康な体を作り、消化を促し、胃腸の動きを促進し、運動及び娯楽等の効果を有する。
【図面の簡単な説明】
【００１１】
【図１】本考案の立体分解図である。
【図２】本考案の立体外観図である。
【図３】本考案を足で下方向に踏みつけた状態を示す側面動作図である。
【図４】本考案が上方向に戻った状態を示す側面動作図である。
【図５】本考案の第二実施例を示す立体分解図である。
【図６】本考案第二実施例の一部立体分解図である。
【図７】本考案第二実施例の立体外観図である。
【図８】本考案第二実施例において掛け渡した二本の弾性輪を示す立体外観図である。
【考案を実施するための形態】
【００１２】
次に、本考案の足踏み健康器の組み合わせた構造及びそれが生じさせる効果について、図面と本考案の好ましい実施例を用いた詳細説明を行なう。
【００１３】
図１及び図２に示すとおり、本考案の足踏み健康器は主に、下本体1と上本体2を含む。
【００１４】
前記下本体1は、底板11と、底板11から上方向に延伸する下弾性体12を有する。下弾性体12はほぼ半月形をなし、下弾性体12は最も好ましくは、変形可能な材料によって製作する。下弾性体12の両端にはそれぞれ下軸孔13を設置する。また、下本体1の底部には底部クッション14を連結し、底部クッション14は最も好ましくは、軟性緩衝材料によって製作する。
【００１５】
前記上本体2は、上部板21と、上部板21から下向きに延長する上弾性体22を備える。上弾性体22はほぼ半月形をなし、上弾性体22は最も好ましくは、変形可能な材料によって製作する。上弾性体22の両端にはそれぞれ上軸孔23を設置する。また、上本体2の上部には、制御体24と被覆体25を設置し、被覆体25は人体の素足や靴を入れるためのものである。
【００１６】
同一側に隣接する上軸孔23と下軸孔13はそれぞれ軸体3を貫通させた後に軸着する。各軸体3の両端にはそれぞれねじ部31を設け、各ねじ部31にはそれぞれナット32を螺着する。
【００１７】
前記構造を組み合わせ、人体の足に靴を履いた後或いは素足のまま直接に被覆体25と上部板21の間に入れる。図３に示すとおり、上弾性体22と下弾性体12はただ両端が軸着されているだけであり、上弾性体22と下弾性体12は互いが対応する半月形をなしているため、人体の重量がかかり下向きに加圧する時、上弾性体22と下弾性体12は二つの外側端方向に変形し、相互にその間隔を縮小する。その後、上弾性体22と下弾性体12自身の弾性によって、上向きの弾力が生じ、更に上向きの弾力によって元の位置に戻す。これは図４に示すとおりである。このように上下往復させることで連続的な足踏みを行い、運動及び健康な身体をつくる目的を果たす。また、本考案が上、下のジャンプ式運動を提供するため、身体全体はその運動によって両足運動が行えるとともに、特に内臓の胃腸等消化器官を十分に動かすことができる。よって、本考案は健康体つくり、消化を助け、胃腸の動きを促進し、運動及び娯楽等の多種目的を兼ね備え、それらを実現する。
【００１８】
本考案のもう一つの大きな特徴であるが、単一の足踏み健康器はただ一方の足だけに使用するものであるため、通常の状態で使用する場合、両足にそれぞれ単一の足踏み健康器を着用する必要がある。それを使用する場合は自由に移動でき、速度を速め早歩きする場合であっても運動量を高められる。よって、単一場所に固定しての使用しかできず、自由に移動できない公知の足踏み器とは異なる効果となる。
【００１９】
図５乃至図７の本考案の第二実施例を参照にすると、各軸体3の両端のそれぞれには嵌着部材33を増設し、嵌着部材33には溝部を形成する。これにより、二つの軸体3の同一側面の二つの嵌着部材33に弾性輪4を取り付けることができ、弾性輪4によって足踏み健康器の上下運動のきつさを調整できる。また、図８に示すとおり、二本の弾性輪4を取り付けることで足踏みを更に硬くし、更に力を使う効果を実現する。
【符号の説明】
【００２０】
1      下本体
11     底板
12     下弾性体
13     下軸孔
14     底部クッション
141    側板
2      上本体
21     上部板
22     上弾性体
23     上軸孔
24     制御体
25     被覆体
3      軸体
31     ねじ部
32     ナット
33     嵌着部材
34     キャップ
4      弾性輪
【図１】
0003188549.tif 000003
【図２】
0003188549.tif 000004
【図３】
0003188549.tif 000005
【図４】
0003188549.tif 000006
【図５】
0003188549.tif 000007
【図６】
0003188549.tif 000008
【図７】
0003188549.tif 000009
【図８】
0003188549.tif 000010